(57)【特許請求の範囲】
【請求項１】
シートに画像を記録するプリンタ部を有する画像記録装置であって、
前記プリンタ部は、
前記画像記録装置の背面側においてシートを下方から上方へＵターンさせて搬送する第１搬送路と、
前記画像記録装置の背面から前記第１搬送路へ通ずる第２搬送路と、
前記第１搬送路及び前記第２搬送路の合流位置近傍に設けられ、搬送される前記シートを検出するセンサと、
前記画像記録装置の背面に設けられており、前記第２搬送路に案内されるシートを支持するトレイと、
前記第２搬送路に侵入した異物を取り込んで貯留する異物収集部、前記合流位置近傍において前記センサの左右両側に設けられ前記センサに対するシートの位置決めを行う位置決め部、及び、前記異物収集部に設けられ前記第２搬送路を案内されるシートをガイドする複数のリブを備えた搬送処理構造体と、
を有することを特徴とする画像記録装置。
【請求項２】
請求項１記載の画像記録装置において、
前記搬送処理構造体は、
前記位置決め部のさらに左右両側に位置し前記合流位置近傍におけるシートの搬送抵抗を低減するための凹部をさらに備える
ことを特徴とする画像記録装置。
【請求項３】
請求項１又は請求項２記載の画像記録装置において、
前記搬送処理構造体は、
前記第１搬送路に案内されるシートをガイドする第１ガイド部と、
前記第２搬送路に案内されるシートをガイドする第２ガイド部と、
を備えており、
前記異物収集部は、
前記第２ガイド部に開口し、前記第２ガイド部に沿って侵入した異物を取り込むように構成され、
前記位置決め部は、
前記第１ガイド部又は前記第２ガイド部の端部に設けられている
ことを特徴とする画像記録装置。
【請求項４】
請求項３記載の画像記録装置において、
前記搬送処理構造体は、
当該搬送処理構造体の下端部と前記プリンタ部の後端部とを回動可能に連結する連結部を介し、回動可能に設けられている
ことを特徴とする画像記録装置。
【発明の詳細な説明】
【技術分野】
【０００１】
本発明は、シートに対して画像を記録する画像記録装置に関する。
【背景技術】
【０００２】
従来より、手差しトレイが設けられた画像記録装置が公知である（例えば、特許文献１参照）。この従来の画像記録装置では、シートが、下部に位置する給紙部（用紙カセット）から供給され、第１搬送路（円弧状経路）において背面側から下方から上方へＵターンするように搬送される。また、この画像記録装置では、その背面に手差しトレイ（手差し給紙部）が設けられている。上記のように給紙部から第１搬送路へ導入されるルートの他、手差しトレイから使用者が手操作でシートを給紙することもできる。この場合、シートは、手差しトレイから、第２搬送路（手差し経路）を介し第１搬送路の上記Ｕターン部分へと導かれる。
【先行技術文献】
【特許文献】
【０００３】
【特許文献１】特開２００７−１８２３１６号公報
【発明の概要】
【発明が解決しようとする課題】
【０００４】
上記従来技術においては、シートが、下部の給紙部から第１搬送路を経て搬送されるルート、若しくは、手差しトレイから第２搬送路及び第１搬送路のＵターン部分を経て搬送されるルートにより、搬送される。このようなシートの搬送において、実際には種々の搬送阻害要件が考えられる。例えば、手差しトレイからの給紙は使用者が手操作によって行うため、使用者が、誤ってクリップやステープラーの針等のシート以外の異物をトレイから投入する場合があり得る。この場合、投入された異物が第２搬送路や第１搬送路に入り込み、シートの搬送を阻害する可能性がある。
【０００５】
本発明の目的は、シートの搬送阻害の発生を防止することができる画像記録装置を提供することにある。
【課題を解決するための手段】
【０００６】
上記目的を達成するために、第１の発明は、原稿に記録された画像を読み取るスキャナ部と、前記スキャナ部の下方に設けられ、シートに画像を記録するプリンタ部と、を有する画像記録装置であって、前記プリンタ部は、前記画像記録装置の背面側においてシートを下方から上方へＵターンさせて搬送する第１搬送路と、前記画像記録装置の背面から前記第１搬送路のＵターン上部分へ通ずる第２搬送路と、前記第１搬送路及び前記第２搬送路の合流位置近傍に設けられ、搬送される前記シートを検出するセンサと、前記画像記録装置の背面において前記第２搬送路が開口する位置に設けられたトレイと、前記第２搬送路に侵入した異物を取り込んで貯留する異物収集部、及び、前記合流位置近傍において前記センサの左右両側に突出して設けられ前記センサに対するシートの位置決めを行う突出部を備えた搬送処理構造体と、を有することを特徴とする。
【０００７】
本願第１発明の画像記録装置は、プリンタ部を有している。プリンタ部は、例えばスキャナ部により読み取られた原稿の画像を用いて、シートに対し画像の記録を行う。画像記録の際には、シートが、例えばプリンタ部の下部に位置する給紙部から供給され、第１搬送路において背面側から下方から上方へＵターンするように搬送される。
【０００８】
一方、本願第１発明の画像記録装置では、その背面にトレイが設けられている。上記のように給紙部から第１搬送路へ導入されるルートの他、トレイから使用者が手操作でシートを給紙することもできる。この場合、シートは、トレイから、第２搬送路を介し第１搬送路の上記Ｕターン部分へと導かれる。
【０００９】
上記のように、シートが、下部の給紙部から第１搬送路を経て搬送されるルート、若しくは、トレイから第２搬送路及び第１搬送路のＵターン部分を経て搬送されるルートにより、搬送される。このようなシートの搬送において、実際には種々の搬送阻害要件が考えられる。
【００１０】
例えば、トレイからの給紙は使用者が手操作によって行うため、使用者が、誤ってクリップやステープラーの針等のシート以外の異物をトレイから投入する場合があり得る。この場合、投入された異物が第２搬送路や第１搬送路に入り込み、シートの搬送を阻害する可能性がある。本願第１発明においては、搬送処理構造体に備えられた異物収集部が、上記第２搬送路に侵入した異物を取り込んで貯留する。これによって、上記のような異物による搬送阻害を防止することができる。
【００１１】
また一方、通常、プリンタ部の搬送経路では、各種制御のためにシートを検出する手段が設けられる。本願第１発明においては、上述の２つのルートのいずれにも対応できるように、センサが、第１搬送路及び第２搬送路の合流位置近傍に設けられる。合流位置には、第１搬送路をＵターンして搬送されてくるシートも第２搬送路から合流してくるシートも導入され、言い換えればシートの導入方向が２方向ある。本願第１発明においては、搬送処理構造体に備えられた突出部が、センサの左右両側に突出してシートの位置決めを行う。これにより、センサからシートまでの距離を一定にし、検出精度を向上することができる。この結果、搬送の円滑化を図れる。
【００１２】
以上のようにして、本願第１発明においては、搬送処理構造体が、異物収集部及び突出部の機能により、第１搬送路及び第２搬送路によりシートを搬送する構造において、搬送阻害が生じるのを防止できるので、シート詰まり（いわゆるジャム）等の不具合が生じるのを防止することができる。
【００１３】
第２発明は、上記第１発明において、前記搬送処理構造体は、前記突出部のさらに左右両側に位置し前記合流位置近傍におけるシートの搬送抵抗を低減するための凹部をさらに備えることを特徴とする。
【００１４】
上記のようにセンサに対するシートの位置決めを行う際、シートへの接触面積が大きすぎると摩擦力が過大となって搬送抵抗の増大を招き、搬送を阻害する可能性がある。本願第２発明においては、上記のように搬送処理構造体の突出部でセンサ近傍において突出部によりシートの位置決めを行う一方で、突出部のさらに左右両側は凹部とすることで突出部以外におけるシートへの接触を回避する。これによりし、シートの搬送抵抗を低減し、搬送阻害をさらに確実に防止することができる。
【００１５】
第３発明は、上記第１又は第２発明において、前記搬送処理構造体は、前記第１搬送路の前記画像記録装置の背面側の壁面を構成する第１壁面部と、前記第２搬送路の前記画像記録装置の背面側の壁面を構成する第２壁面部と、備えており、前記異物収集部は、前記第２壁面部に開口し、前記第２壁面部に沿って侵入した異物を取り込むように構成され、前記突出部は、前記第１壁面部又は前記第２壁面部の端部から、前記センサに向かって突出するように設けられていることを特徴とする。
【００１６】
これにより、搬送処理構造体に備えられた第１壁面部が第１搬送路におけるシートのガイド機能を兼ねるとともに、第２壁面部が第２搬送路におけるシートのガイド機能を兼ねる。この結果、搬送阻害を防止するのみならず、さらに搬送の円滑化を図ることができる。
【００１７】
第４発明は、上記第３発明において、前記搬送処理構造体は、当該搬送処理構造体の下端部と前記プリンタ部の後端部とを回動可能に連結する連結部を介し、回動可能に設けられていることを特徴とする。
【００１８】
第１壁面部及び第２壁面部を備えた搬送処理構造体を、連結部を回動中心として回動させることで、第１搬送路及び第２搬送路を装置外部へ露出させることができる。これにより、第１搬送路や第２搬送路において万が一シート詰まり等の不具合が生じた場合でも、搬送処理構造体を開くことで、使用者は容易かつ迅速に上記不具合の解消を図ることができる。この結果、使用者の利便性が向上する。
【発明の効果】
【００１９】
本発明によれば、シートの搬送阻害の発生を防止することができる。
【図面の簡単な説明】
【００２０】
【図１】本発明の一実施形態による複合機の外観斜視図である。
【図２】ジャム処理カバーが開放した状態の複合機の外観斜視図である。
【図３】プリンタ部の内部構造を模式的に示す縦断面図である。
【図４】ジャム処理カバーの詳細構造を表す、図２中Ａ方向からの矢視図、及び、図２中Ｂ方向からの矢視図である。
【図５】図２中Ｃ方向からの矢視図、及び、図５（ａ）に対応するジャム処理カバーの横断面図である。
【発明を実施するための形態】
【００２１】
以下、本発明の実施形態を図面を参照しつつ説明する。
【００２２】
図１は、本実施形態による画像記録装置である、複合機１０の外観を示す斜視図である。また図２は、ジャム処理カバー（後述）が開放した状態を表す複合機１０の外観斜視図である。
【００２３】
なお、以下の説明においては、複合機１０が使用可能に設置された状態（図１の状態）を基準として上下方向７を定義し、操作パネル１２１が設けられている側を手前側（正面）として前後方向８を定義し、複合機１０を手前側（正面）から見て左右方向９を定義する。
【００２４】
図１及び図２に示すように、複合機１０は、高さ（上下方向７の長さ）に対して横幅（左右方向９の長さ）及び奥行き（前後方向８の長さ）が大きい薄型の直方体に概ね形成されている。複合機１０は、ファクシミリ機能、プリンタ機能、スキャナ機能、及びコピー機能などの各種の機能を有している。これら各種機能に関連して、複合機１０の上部に画像読取部１２が設けられ、複合機１０の下部に（この例ではインクジェット記録方式の）プリンタ部１１が設けられている。プリンタ部１１は、正面及び背面に開口が形成されたケーシング（筐体）１４を有する。このケーシング１４内に、プリンタ部１１の各構成要素が配設されている。なお、本実施形態では、プリンタ機能として片面画像記録機能のみ有している複合機１０を例にとって説明するが、複合機１０は両面画像記録機能を有していてもよい。
【００２５】
＜画像読取部１２の構成＞
画像読取部１２は、プリンタ部１１の上部に配設されており、装置上面の前方側に配置された操作パネル１２１と、原稿に記録された画像を読み取るスキャナ部１２２と、を備えている。スキャナ部１２２は、当該スキャナ部１２２の後端部と上記ケーシング１４の後端部とを回動可能に連結する第１連結部Ｐ１を介して回動可能に設けられている。この第１連結部Ｐ１は、例えば、複合機１０の左右両側に設けられた、２つのヒンジ部材１２２Ｃ，１２２Ｃを備えている。スキャナ部１２２は、これらの２つのヒンジ部材１２２Ｃ，１２２Ｃの間に位置し後述する手差しトレイ２０を貫通可能な凹部１２２Ｂを、後端部に備えている。この凹部１２２Ｂによって、スキャナ部１２２の後端部に、手差しトレイ２０の回避空間（図２参照）が形成される。
【００２６】
複合機１０の上面の前方側であって、スキャナ部１２２の正面側の上面には、プリンタ部１１やスキャナ部１２２を操作するための、各種操作ボタンや液晶表示部から構成されている上記操作パネル１２１が設けられている。複合機１０は、操作パネル１２１からの指示入力によって動作する。各種操作ボタンは、例えば、プリンタ部１１やスキャナ部１２２の動作を開始するためのスタートボタンと、動作の停止や設定の終了を行うためのストップボタン、ファクシミリ機能を選択するためのＦＡＸボタン、スキャナ機能を選択するためのスキャナボタン、コピー機能を選択するためのコピーボタンなどのモード選択ボタンと、コピー枚数やスキャナ部１２２による読取解像度などを入力するためのダイヤルボタンと、その他の各種設定ボタンなどの複数の入力キーとから構成される。
【００２７】
スキャナ部１２２は、フラットベッドスキャナ（ＦＢＳ：Ｆｌａｔ  Ｂｅｄ  Ｓｃａｎｎｅｒ）及び自動原稿搬送装置（ＡＤＦ：Ａｕｔｏｍａｔｉｃ  Ｄｏｃｕｍｅｎｔ  Ｆｅｅｄｅｒ）として構成されているが、本実施形態において、スキャナ部１２２は、原稿に記録された画像を読み取るものであれば任意の構成であるので、詳細な説明を省略する。
【００２８】
＜プリンタ部１１の構成＞
図３は、プリンタ部１１の内部構造を模式的に示す縦断面図である。この図３及び前述の図１及び図２において、プリンタ部１１の正面の開口（図示せず）からケーシング１４の内部側へ連続するように収容室が区画されている。この収容室にこの例では上下２段の給紙カセット７８（図１、図２では図示省略）が装着されている。給紙カセット７８は、正面の開口からケーシング１４内に前後方向８に挿抜可能に構成されている。給紙カセット７８は、各種サイズの記録用紙を保持可能である。なお、本実施形態では、上下２段の給紙カセット７８（但し上段の図示は簡略化している）を装着可能な複合機１０を例にとって説明しているが、複合機１０は１つ又は３つ以上の給紙カセット７８を装着可能であってもよい。
【００２９】
プリンタ部１１の背面１４Ａには、凹部Ｄが設けられている。図１、図２に示されるように、凹部Ｄは、右側面１４ＡＡ、左側面１４ＡＢ、及び奥面１４ＡＣを備えている。図３に示されるように、凹部の奥面１４ＡＣの下部には、プリンタ部１１の背面に形成された開口（以下、背開口１３という。）が設けられている。
【００３０】
図１、図２に示されるように、凹部Ｄには、手差しトレイ２０が開閉可能に配置されている。図１は、手差しトレイ２０が閉じられた状態を示しており、図２は、手差しトレイ２０が開けられた状態を示している。手差しトレイ２０は、開けられた状態において、各種サイズの記録用紙を載置可能である。なお、手差しトレイ２０の構成については後に詳述する。
【００３１】
次に、図３を参照しながら、プリンタ部１１の構成をさらに詳しく説明する。なお、図３では、給紙カセット７８の前方側（紙面右側）の図示を省略している。図３において、プリンタ部１１は、給紙カセット７８に加えて、給紙カセット７８から記録用紙をピックアップして給紙（給送）する給送部１５，１５′と、給送部１５，１５′によって給紙された記録用紙にインク滴を吐出して記録用紙に画像を形成するインクジェット記録方式の記録部２４などを備えている。これらは、上記ケーシング１４内に設けられている。なお、記録部２４は、インクジェット方式に限られず、電子写真方式や感熱記録方式などが適用可能である。
【００３２】
＜搬送路６５＞
プリンタ部１１の内部には、給紙カセット７８及び手差しトレイ２０から記録部２４を経て排紙保持部（図示せず）に至る搬送路６５が形成されている。搬送路６５は、給紙カセット７８の先端（後方側の端部）から記録部２４に至る間に形成された第１搬送路としての湾曲路６５Ａと、手差しトレイ２０の先端（前方側の端部）から湾曲路６５Ａとの合流点３６に至る間に形成された第２搬送路としての搬送経路６５Ｂと、記録部２４から上記排紙保持部に至る間に形成された排紙路６５Ｃとを備えている。なお、排紙保持部は、給紙カセット７８と一体に構成されていてもよく、あるいはプリンタ部１１のフレームなどに固定されたものであってもよい。
【００３３】
図３に示されるように、湾曲路６５Ａは、給紙カセット７８に設けられた分離傾斜板２２の上端付近から記録部２４に渡って延設された湾曲状の通路である。記録用紙は、給紙カセット７８から後方に向けて搬送される。記録用紙は、装置の背面側において、湾曲路６５Ａによって装置の下方から上方へＵターンされる。その後、記録用紙は、前方に向けて搬送される。湾曲路６５Ａは、所定間隔を隔てて互いに対向する外側ガイド部１８及び内側ガイド部１９によって区画されている。なお、外側ガイド部１８は、湾曲路６５Ａの複合機１０背面側の壁面を構成する第１壁面部として機能している。なお、外側ガイド部１８及び内側ガイド部１９、さらに、後述する第１下側ガイド部８０、第１上側ガイド部８１、第２下側ガイド部（図示せず）、及び第３上側ガイド部（図示せず）は、いずれも、図３の紙面垂直方向（図１の左右方向９）へ延びている。
【００３４】
搬送経路６５Ｂは、プリンタ部１１の上記背開口１３から湾曲路６５Ａとの合流点３６に渡って延設された（この例では略直線状の）通路である。記録用紙は、複合機１０のユーザによって、手差しトレイ２０に担持されつつ、背開口１３から前方に向けて挿入される。記録用紙は、搬送経路６５Ｂを介して、第１搬送ローラ６０とピンチローラ６１とのニップ位置６０Ａに挿入される。
【００３５】
搬送経路６５Ｂは、所定間隔を隔てて互いに対向する第１下側ガイド部８０及び第１上側ガイド部８１によって区画されている。なお、第１下側ガイド部８０は、搬送経路６５Ｂの複合機１０背面側の壁面を構成する第２壁面部として機能している。ここで、搬送方向とは、記録用紙が搬送路６５を搬送させる向き（図３において矢印付きの二点鎖線で示される向き）を指す。手差しトレイ２０から挿入された記録用紙は、合流点３６を介してニップ位置６０Ａへ導かれる。
【００３６】
＜記録部２４＞
図３に示されるように、記録部２４は、給紙カセット７８の上方に配置されている。記録部２４は、図３の紙面垂直方向（主走査方向）に延出されたガイドレール（図示せず）に沿って往復動するように構成されている。記録部２４の下方にプラテン４２が設けられている。プラテン４２は、記録部２４によって画像記録が行われる際に、記録用紙を水平に支持するものである。記録部２４は、主走査方向への往復移動過程において、図示しないインクカートリッジから供給されたインクをノズル３９から微小なインク滴としてプラテン４２上を搬送される記録用紙に吐出する。これにより、記録用紙に画像が記録される。
【００３７】
湾曲路６５Ａの終端と記録部２４との間には、第１搬送ローラ６０及びピンチローラ６１が設けられている。これらは対をなしている。ピンチローラ６１は、第１搬送ローラ６０の下方に配置されており、図示しないバネなどの弾性部材によって第１搬送ローラ６０のローラ面に圧接されている。第１搬送ローラ６０及びピンチローラ６１は、湾曲路６５Ａ及び搬送経路６５Ｂを搬送してきた記録用紙を狭持してプラテン４２上へ送る。
【００３８】
また、記録部２４と排紙路６５Ｃの始端との間には、第２搬送ローラ６２及び拍車ローラ６３が設けられている。これらは対をなしている。拍車ローラ６３は、第２搬送ローラ６２の上方に配置されており、自重若しくはバネなどによって第２搬送ローラ６２のローラ面に圧接されている。第２搬送ローラ６２及び拍車ローラ６３は、記録済みの記録用紙を狭持してさらに下流側（排紙保持部側）へ搬送する。
【００３９】
第１搬送ローラ６０及び第２搬送ローラ６２は、搬送用モータ（図示せず）から駆動伝達機構を介して回転駆動力が伝達されて回転される。第１搬送ローラ６０及び第２搬送ローラ６２は、画像記録時に間欠駆動される。そのため、記録用紙は、所定の改行幅で送られながら画像記録がなされる。
【００４０】
＜給送部１５＞
給送部１５は、給紙カセット７８に収容された記録用紙を湾曲路６５Ａへ向けて搬送するためのものであり、給紙ローラ２５と、給紙アーム２６と、駆動伝達機構（図示せず）とを備えている。給紙ローラ２５は、給紙カセット７８の上側に配置されている。給紙ローラ２５は、給紙カセット７８に収容された記録用紙をピックアップして湾曲路６５Ａへ給紙するものであり、給紙アーム２６の先端に回転自在に軸支されている。給紙ローラ２５は、給紙用モータ（図示せず）の回転力が上記駆動伝達機構を介して伝達されると回転駆動される。なお、駆動伝達機構は、給紙アーム２６に軸支されており、概ね給紙アーム２６の延出方向に沿って直線状に並ぶ複数のギヤで構成されている。なお、給紙ローラ２５は、基軸２８を回動中心軸として回転し、給紙カセット７８に収容された記録用紙の上面に圧接可能である。なお、給送部１５′も上記給送部１５と同様の構造であり、給紙ローラ２５′、給紙アーム２６′、駆動伝達機構、及び基軸２８′を備えている。
【００４１】
＜シートセンサ１１０＞
図３に示されるように、湾曲路６５Ａには、湾曲路６５Ａを搬送される記録用紙、又は、手差しトレイ２０から搬送経路６５Ｂを介して挿入される記録用紙の先端位置を検知するためのシートセンサ１１０が設けられている。このシートセンサ１１０は、回転軸部１１０ａを中心に傾動可能な接触スイッチで構成されている。このような傾動可能な接触スイッチは、記録用紙が上を乗り越えていくので突出部１４Ｄ，１４Ｄより先で記録紙先端の落ち込みを防ぐために有利である。なお、このシートセンサ１１０に代えて、例えば、検出子を有する回転体と、発光素子（例えば発光ダイオード）及びこの発光素子から発光された光を受光する受光素子（例えばフォトトランジスタ）を有するフォトインタラプタ等の光センサを用いてもよい。
【００４２】
ここで、本実施形態の特徴として、上記外側ガイド部１８及び下側ガイド部８０は、図２、図３に示すように、搬送処理構造体としてのジャム処理カバー１４Ｂに一体的に備えられている。なお、図２に示すように、この例では、下側ガイド部８０は、多数個設けられたリブ８０ａの端部によって構成されている。ジャム処理カバー１４Ｂは、当該ジャム処理カバー１４Ｂの下端部とケーシング（筐体）１４の後端部とを回動可能に連結する第３連結部Ｐ３（各請求項記載の連結部に相当）を介し、当該第３連結部Ｐ３の軸心ｋ３まわりに回動可能に設けられる。
【００４３】
図４（ａ）は、ジャム処理カバー１４Ｂの詳細構造を表す、図２中Ａ方向からの矢視図であり、図４（ｂ）は、図２中Ｂ方向からの矢視図である。また、図５（ａ）は図２中Ｃ方向からの矢視図であり、図５（ｂ）は、図５（ａ）に対応するジャム処理カバー１４Ｂの横断面図である。
【００４４】
これら図４、図５、及び前述の図１〜図３において、ジャム処理カバー１４Ｂの内側には、異物収集部１４Ｃがボックス状となって形成されている。この異物収集部１４Ｃは、搬送経路６５Ｂに侵入した、例えばクリップ・ステープラーの針等のシート以外の異物を取り込んで貯留する。異物収集部１４Ｃは、第１下側ガイド部８０に開口し、第１下側ガイド部８０に沿って侵入した異物を取り込む。
【００４５】
また、ジャム処理カバー１４Ｂにおいて、外側ガイド部１８又は第１下側ガイド部８０の端部から、上記シートセンサ１１０に向かって２つの突出部１４Ｄ，１４Ｄが突出するように設けられている。すなわち、突出部１４Ｄは、合流点３６近傍において配された上記シートセンサ１１０の左右両側に突出してこれを挟むように二股状に設けられ、当該シートセンサ１１０に対するシートの位置決めを行う。すなわち、突出部１４Ｄは、シートセンサ１１０の左右両側に突出してシートの位置決めを行うことにより、シートのシートセンサ１１０への干渉を防止し搬送阻害を防止している。さらに、突出部１４Ｄ，１４Ｄの左右両側位置には、合流点３６近傍におけるシートの接触面積を小さくして摩擦による搬送抵抗を低減するための、凹部１４Ｅ，１４Ｅがそれぞれ形成されている。
【００４６】
なお、図４（ｂ）に示すように、この例では、外側ガイド部１８は、多数個設けられたリブ１８ａの端部によって構成されている。
【００４７】
排紙路６５Ｃは、記録部２４よりも下流側に設けられた上記第２下側ガイド部と上記第３上側ガイド部とによって区画されている。排紙路６５Ｃは、第２搬送ローラ６２によって搬送された画像記録済の記録用紙の下面を支持しつつ、下流側へ案内する。第３上側ガイド部は、第２下側ガイド部よりも上方に配置されている。第３上側ガイド部と第２下側ガイド部とは、記録用紙が通過可能な所定間隔を隔てて互いに対向するように配置されている。
【００４８】
＜手差しトレイ２０及びシートガイド２１＞
図１乃至図３に示されるように、手差しトレイ２０は、概ね平板形状に構成されており、複合機１０の背面において搬送経路６５Ｂが開口する位置、すなわち、奥面１４ＡＣの後方側に設けられている。手差しトレイ２０は、Ａ４サイズをはじめとする各種サイズの記録用紙を一枚載置可能である。手差しトレイ２０は、当該手差しトレイ２０の下端部とケーシング１４の後端部とを回動可能に連結する第２連結部Ｐ２（図１参照）を介し、当該第２連結部Ｐ２の軸心まわりに回動可能に設けられている。なお、第２連結部Ｐ２は、例えば、手差しトレイ２０の基端部（下方側の端部）において、載置板２０１の右側面から右側へ延びる右回動軸（図示せず）と、載置板２０１の左側面から左側へ延びる左回動軸２０１Ａ（図３参照）とを備えている。右回動軸は、右側面１４ＡＡ（図１参照）における右回動軸に対向する位置に設けられた孔に挿入されている。左回動軸２０１Ａは、左側面１４ＡＢにおける左回動軸に対向する位置に設けられた孔に挿入されている。つまり、手差しトレイ２０は、その基端部が右回動軸及び左回動軸２０１Ａに支持されており、右回動軸及び左回動軸２０１Ａを回動中心軸として回動可能に構成されている。
【００４９】
上述より、手差しトレイ２０は、図３において破線の矢印で示されるように回動可能である。手差しトレイ２０は、回動することによって、プリンタ部１１に対して閉じられた姿勢（図３に破線で示す第１姿勢）と開かれた姿勢（図３に実線で示す第２姿勢）をとる。すなわち、手差しトレイ２０は、第２姿勢をとっているとき、背面１４Ａからさらに後方側へ斜め上方に傾倒している。また手差しトレイ２０は、上記第１姿勢をとっているとき、背面１４Ａに沿って起立する。載置板２０１において記録用紙が載置される面は、奥面１４ＡＣと対向する。
【００５０】
図２及び図３に示されるように、手差しトレイ２０と奥面１４ＡＣの間には、記録用紙が当接される当接板と、当接板の左右方向９の両端部から立設された側板と、当接板の上方側の端部とを有するシートガイド２１が設けられている。このとき、図２に示されるように、右側面１４ＡＡには、奥面１４ＡＣ近傍を上下方向７に延びるＵ字形状のレール溝２１３が設けられている。レール溝２１３にはシートガイド２１の右上軸２１１Ａが挿入される。これにより、シートガイド２１がレール溝２１３によって上下方向７へスライド可能に支持される。
【００５１】
手差しトレイ２０の載置板２０１の先端部（上方側の端部）と基端部（下方側の端部）の間（例えば先端部と基端部の中間）における左右方向８の両端部には、凸形状の軸支部２０４が立設されている。軸支部２０４には、シートガイド２１の右下軸２１１Ｂ及び左下軸に対向する位置において、左右方向９の孔又は穴が設けられている。右下軸２１１Ｂ及び左下軸は、軸支部２０４に設けられた孔又は穴に挿入される。つまり、シートガイド２１は、右下軸２１１Ｂ及び左下軸を中心軸として回転可能に、軸支部２０４によって軸支されている。
【００５２】
手差しトレイ２０は、第２姿勢から第１姿勢に移行するとき、右回動軸及び左回動軸２０１Ａを回動中心軸として回動する。すると、軸支部２０４は前方へ移動する。これにより、シートガイド２１は、右下軸２１１Ｂ及び左下軸を中心軸として回転するとともに、シートガイド２１の右上軸２１１Ａ及び左上軸は、レール溝２１３の上部にスライドする。これにより、手差しトレイ２０が第１姿勢をとっているとき、シートガイド２１は、手差しトレイ２０と奥面１４ＡＣの間において、背面１４Ａに沿って起立する姿勢をとる（図３に破線で示す第３姿勢）。当接板２１１において記録用紙が当接される面は、載置板２０１と対向する。
【００５３】
なお、第１姿勢の手差しトレイ２０と第３姿勢のシートガイド２１は、前後方向８に所定の間隔が設けられるように配置される。これにより、載置板２０１に立設される後述の幅調整ガイド２２がシートガイド２１に当接することが防止される。
【００５４】
手差しトレイ２０は、第１姿勢から第２姿勢に移行するとき、右回動軸及び左回動軸２０１Ａを回動中心軸として回動する。すると、軸支部２０４は後方へ移動する。これにより、シートガイド２１は、右下軸２１１Ｂ及び左下軸を中心軸として回転するとともに、シートガイド２１の右上軸２１１Ａ及び左上軸は、レール溝２１３の下部にスライドする。これにより、手差しトレイ２０が第２姿勢をとっているとき、シートガイド２１は、奥面１４ＡＣから載置板２０１へ傾倒する姿勢をとる（図３に実線で示す第４姿勢）。
【００５５】
以上より、シートガイド２１は、手差しトレイ２０が第１姿勢をとっているときに第３姿勢となり、手差しトレイ２０が第２姿勢をとっているときに第４姿勢となるように、手差しトレイ２０に連動して姿勢変化される。
【００５６】
＜幅調整ガイド２２＞
図２に示されるように、載置板２０１における記録用紙の載置面には、記録用紙が挿入される方向に沿って、複合機１０へ挿入される記録用紙の幅を調整するための一対の幅調整ガイド２２が立設されている。
【００５７】
幅調整ガイド２２は、第２姿勢で間隙が形成される位置より後方側において間隙より長い部分と、第２姿勢で間隙が形成される位置より前方側において間隙より短い部分とで構成されている。
【００５８】
幅調整ガイド２２は、載置板２０１における記録用紙の載置面において、左右方向９にスライド可能に支持されている。詳細には、幅調整ガイド２２は、複合機１０へ挿入可能な記録用紙の最大サイズに対応する位置と最小サイズに対応する位置との間でスライドする。
【００５９】
幅調整ガイド２２が、載置板２０１に載置された記録用紙のサイズと合致する位置にスライドされているとき、一対の幅調整ガイド２２は当該記録用紙の端に当接する。詳細には、右側の幅調整ガイド２２の左側面が当該記録用紙の右端に当接し、左側の幅調整ガイド２２の右側面が当該記録用紙の左端に当接する。
【００６０】
＜実施形態の効果＞
以上説明したように、本実施形態の複合機１０においては、プリンタ部１１は、スキャナ部１２２により読み取られた原稿の画像を用いて、シートに対し画像の記録を行う。画像記録の際には、シートが、給紙カセット７８から供給され、湾曲路６５Ａにおいて背面側から下方から上方へＵターンするように搬送される。一方、複合機１０の背面には手差しトレイ２０が設けられている。上記のように給紙部から湾曲路６５Ａへ導入されるルートの他、手差しトレイ２０からユーザが手操作でシートを給紙することもできる。この場合、シートは、手差しトレイ２０から、搬送経路６５Ｂを介し湾曲路６５Ａの上記Ｕターン部分へと導かれる。
【００６１】
上記のように、シートは、下部の給紙カセット７８から湾曲路６５Ａを経て搬送されるルート、若しくは、手差しトレイ２０から搬送経路６５Ｂ及び湾曲路６５ＡのＵターン部分を経て搬送されるルートにより、搬送される。このようなシートの搬送において、実際には種々の搬送阻害要件が考えられる。
【００６２】
例えば、手差しトレイ２０からの給紙はユーザが手操作によって行うため、ユーザが、誤ってクリップやステープラーの針等のシート以外の異物を手差しトレイ２０から投入する場合があり得る。この場合、投入された異物が搬送経路６５Ｂや湾曲路６５Ａに入り込み、シートの搬送を阻害する可能性がある。本実施形態においては、ジャム処理カバー１４Ｂに備えられた異物収集部１４Ｃが、上記搬送経路６５Ｂに侵入した異物を取り込んで貯留する。これによって、上記のような異物による搬送阻害を防止することができる。
【００６３】
また、本実施形態では、上述の２つのルートのいずれにも対応できるように、シートセンサ１１０が湾曲路６５Ａ及び搬送経路６５Ｂの合流点３６近傍に設けられている。合流点３６には、湾曲路６５ＡをＵターンして搬送されてくるシートも搬送経路６５Ｂから合流してくるシートも導入され、言い換えればシートの導入方向が２方向ある。このとき、本実施形態では、ジャム処理カバー１４に備えられた突出部１４Ｄ，１４Ｄが、シートセンサ１１０の左右両側に突出してシートの位置決めを行う。これにより、上記シートセンサ１１０からシートまでの距離を一定にし、検出精度を向上することができる。この結果、搬送の円滑化を図れる。
【００６４】
以上のようにして、本実施形態の複合機１０においては、ジャム処理カバー１４Ｂの異物収集部１４Ｃ及び突出部１４Ｄの機能により、湾曲路６５Ａ及び搬送経路６５Ｂによりシートを搬送する構造において、搬送阻害が生じるのを防止できる。この結果、シート詰まり（いわゆるジャム）等の不具合が生じるのを防止することができる。
【００６５】
また、本実施形態では特に、ジャム処理カバー１４Ｂは、突出部１４Ｄ，１４Ｄのさらに左右両側に位置し前記合流点３６近傍におけるシートの搬送抵抗を低減するための凹部１４Ｅ，１４Ｅを備えている。すなわち、上記のようにシートセンサ１１０に対するシートの位置決めを行う際、シートへの接触面積が大きすぎると摩擦力が過大となって搬送抵抗の増大を招き、搬送を阻害する可能性がある。本実施形態においては、上記のようにジャム処理カバー１４Ｂの突出部１４Ｄ，１４Ｄでシートセンサ１１０近傍においてはシートの位置決めを行う一方で、突出部１４Ｄ，１４Ｄのさらに左右両側を凹部１４Ｅとすることにより、突出部１４Ｄ以外におけるシートへの接触を回避する。これによりし、シートの搬送抵抗を低減し、搬送阻害をさらに確実に防止することができる。
【００６６】
また、本実施形態では特に、ジャム処理カバー１４Ｂの外側ガイド部１８が湾曲路６５Ａにおけるシートのガイド機能を兼ねるとともに、第１下側ガイド部８０が搬送経路６５Ｂにおけるシートのガイド機能を兼ねる。これにより、搬送阻害を防止し、搬送の円滑化を図ることができる。
【００６７】
また、本実施形態では特に、ジャム処理カバー１４Ｂが、第３連結部Ｐ３を介し、回動可能に設けられている。これにより、外側ガイド部１８及び第１下側ガイド部８０を備えたジャム処理カバー１４Ｂを第３連結部Ｐ３を回動中心として回動させることで、湾曲路６５Ａ及び搬送経路６５Ｂを装置外部へ露出させることができる。これにより、湾曲路６５Ａや搬送経路６５Ｂにおいて万が一シート詰まり等の不具合が生じた場合でも、ジャム処理カバー１４Ｂを開くことで、ユーザは容易かつ迅速に上記不具合の解消を図ることができる。この結果、ユーザの利便性が向上する。
【００６８】
その他、一々例示はしないが、本発明は、その趣旨を逸脱しない範囲内において、種々の変更が加えられて実施されるものである。
【符号の説明】
【００６９】
１０      複合機（画像記録装置）
１１      プリンタ部
１４Ｂ    ジャム処理カバー（搬送処理構造体）
１４Ｃ    異物収集部
１４Ｄ    突出部
１４Ｅ    凹部
２０      手差しトレイ
３６      合流点
６５Ａ    湾曲路（第１搬送路）
６５Ｂ    搬送経路（第２搬送路）
１１０    シートセンサ
１２２    スキャナ部
【図１】
0005601631.tif 000002
【図２】
0005601631.tif 000003
【図３】
0005601631.tif 000004
【図４】
0005601631.tif 000005
【図５】
0005601631.tif 000006